(57)【要約】【課題】玉鎖が切れることを抑制すること。【解決手段】実施形態に係る洗浄操作装置は、回転軸部と、玉鎖とを備える。回転軸部は、洗浄水を貯えるタンク内に延出し、回転可能である。玉鎖は、回転軸部の回転によって引き上げられることでタンク内に配置された排水弁を作動させる。また、回転軸部は、取付部と、支持部とを備える。取付部は、玉鎖の一端が取り付けられる。支持部は、玉鎖を引き上げた状態で、玉鎖の少なくとも２つ以上のボールと接触する湾曲面を先端側に有し、玉鎖を引き上げる場合に、玉鎖を下方から支持する。【選択図】図１１
2019157601.tif 000002
【特許請求の範囲】
【請求項１】
洗浄水を貯えるタンク内に延出し、回転可能な回転軸部と、
前記回転軸部の回転によって引き上げられることで前記タンク内に配置された排水弁を作動させる玉鎖と、
を備え、
前記回転軸部は、
前記玉鎖の一端が取り付けられる取付部と、
前記玉鎖を引き上げた状態で、前記玉鎖の少なくとも２つ以上のボールと接触する湾曲面を先端側に有し、前記玉鎖を引き上げる場合に、前記玉鎖を下方から支持する支持部と
を備えることを特徴とする洗浄操作装置。
【請求項２】
前記取付部は、
前記支持部よりも前記回転軸部の回転軸側に設けられ、
前記湾曲面は、
前記支持部の基端部から前記玉鎖に沿って形成される
ことを特徴とする請求項１に記載の洗浄操作装置。
【請求項３】
前記玉鎖は、
前記回転軸部が一方向に回転した場合に引き上げられることで大洗浄を実施させる大洗浄用玉鎖と、
前記回転軸部が他方向に回転した場合に引き上げられることで前記大洗浄よりも流量が少ない小洗浄を実施させる小洗浄用玉鎖と
を備え、
前記支持部は、
前記大洗浄用玉鎖を引き上げた状態で、前記大洗浄用玉鎖の少なくとも２つ以上のボールと接触する第１湾曲面と、
前記小洗浄用玉鎖を引き上げた状態で、前記小洗浄用玉鎖の少なくとも２つ以上のボールと接触する第２湾曲面と
を有することを特徴とする請求項１または２に記載の洗浄操作装置。
【請求項４】
前記取付部は、
前記回転軸部が前記他方向に回転した場合に前記大洗浄用玉鎖の少なくとも２つ以上のボールと接触する第３湾曲面と、
前記回転軸部が前記一方向に回転した場合に前記小洗浄用玉鎖の少なくとも２つ以上のボールと接触する第４湾曲面と
を有することを特徴とする請求項３に記載の洗浄操作装置。
【請求項５】
前記玉鎖は、
複数の糸を束ねた紐部で複数のボールを連結して形成される
ことを特徴とする請求項１〜４のいずれか一つに記載の洗浄操作装置。
【請求項６】
前記紐部は、
樹脂製である
ことを特徴とする請求項５に記載の洗浄操作装置。
【発明の詳細な説明】
【技術分野】
【０００１】
開示の実施形態は、洗浄操作装置に関する。
【背景技術】
【０００２】
従来、洗浄ハンドルが操作された場合に、洗浄ハンドルの操作に応じて玉鎖を引き上げることで、洗浄水をタンクから便器に供給する排水弁を作動させる洗浄操作装置が知られている（例えば、特許文献１参照）。
【先行技術文献】
【特許文献】
【０００３】
【特許文献１】特開２０１２−１６２８６６号公報
【発明の概要】
【発明が解決しようとする課題】
【０００４】
しかしながら、玉鎖を引き上げる操作が繰り返し行われることで、玉鎖、特に玉鎖の紐が劣化し、玉鎖が切れるという問題がある。
【０００５】
実施形態の一態様は、玉鎖が切れることを抑制する洗浄操作装置を提供することを目的とする。
【課題を解決するための手段】
【０００６】
実施形態の一態様に係る洗浄操作装置は、洗浄水を貯えるタンク内に延出し、回転可能な回転軸部と、前記回転軸部の回転によって引き上げられることで前記タンク内に配置された排水弁を作動させる玉鎖と、を備え、前記回転軸部は、前記玉鎖の一端が取り付けられる取付部と、前記玉鎖を引き上げた状態で、前記玉鎖の少なくとも２つ以上のボールと接触する湾曲面を先端側に有し、前記玉鎖を引き上げる場合に、前記玉鎖を下方から支持する支持部とを備えることを特徴する。
【０００７】
玉鎖を引き上げた状態で、湾曲面が玉鎖の少なくとも２つ以上のボールと接触することで、引き上げられた玉鎖の曲げ角度を大きくし、引き上げられた玉鎖の曲げ応力を小さくすることができる。そのため、玉鎖の紐の劣化を抑制し、玉鎖が切れることを抑制することができる。
【０００８】
また、前記取付部は、前記支持部よりも前記回転軸部の回転軸側に設けられ、前記湾曲面は、前記支持部の基端部から前記玉鎖に沿って形成されることを特徴とする。
【０００９】
湾曲面が支持部の基端部から玉鎖に沿って形成されることで、引き上げられた玉鎖の曲げ角度を大きくし、引き上げられた玉鎖の曲げ応力を小さくすることができる。そのため、玉鎖の劣化を抑制し、玉鎖が切れることを抑制することができる。
【００１０】
また、前記玉鎖は、前記回転軸部が一方向に回転した場合に引き上げられることで大洗浄を実施させる大洗浄用玉鎖と、前記回転軸部が他方向に回転した場合に引き上げられることで前記大洗浄よりも流量が少ない小洗浄を実施させる小洗浄用玉鎖とを備え、前記支持部は、前記大洗浄用玉鎖を引き上げた状態で、前記大洗浄用玉鎖の少なくとも２つ以上のボールと接触する第１湾曲面と、前記小洗浄用玉鎖を引き上げた状態で、前記小洗浄用玉鎖の少なくとも２つ以上のボールと接触する第２湾曲面とを有することを特徴とする。
【００１１】
回転軸部が一方向に回転した場合に、大洗浄用玉鎖の少なくとも２つ以上のボールと接触する第１湾曲面を有することで、大洗浄用玉鎖が引き上げられた場合に、大洗浄用玉鎖の曲げ角度を大きくし、大洗浄用玉鎖の曲げ応力を小さくすることができる。そのため、大洗浄用玉鎖の劣化を抑制し、大洗浄用玉鎖が切れることを抑制することができる。
【００１２】
回転軸部が他方向に回転した場合に、小洗浄用玉鎖の少なくとも２つ以上のボールと接触する第２湾曲面を有することで、小洗浄用玉鎖が引き上げられた場合に、小洗浄用玉鎖の曲げ角度を大きくし、小洗浄用玉鎖の曲げ応力を小さくすることができる。そのため、小洗浄用玉鎖の劣化を抑制し、小洗浄用玉鎖が切れることを抑制することができる。
【００１３】
また、前記取付部は、前記回転軸部が前記他方向に回転した場合に前記大洗浄用玉鎖の少なくとも２つ以上のボールと接触する第３湾曲面と、前記回転軸部が前記一方向に回転した場合に前記小洗浄用玉鎖の少なくとも２つ以上のボールと接触する第４湾曲面とを有することを特徴とする。
【００１４】
回転軸部が他方向に回転した場合に、大洗浄用玉鎖の少なくとも２つ以上のボールと接触する第３湾曲面を有することで、回転軸部が他方向に回転した場合に引き上げられない大洗浄用玉鎖の曲げ角度を大きくし、大洗浄用玉鎖の曲げ応力を小さくすることができる。
【００１５】
回転軸部が一方向に回転した場合に、小洗浄用の少なくとも２つ以上のボールと接触する第４湾曲面を有することで、回転軸部が一方向に回転した場合に引き上げられない小洗浄用玉鎖の曲げ角度を大きくし、小洗浄用玉鎖の曲げ応力を小さくすることができる。
【００１６】
また、前記玉鎖は、複数の糸を束ねた紐部で複数のボールを連結して形成されることを特徴とする。
【００１７】
複数の糸を束ねた紐部で複数のボールを連結することで、糸部に柔軟性を持たせることができ、玉鎖が切れることを抑制することができる。
【００１８】
また、前記紐部は、樹脂製であることを特徴とする。
【００１９】
紐部を樹脂製とすることで、例えば、金属部材の紐部が用いられた玉鎖よりも、腐食を抑制することができ、玉鎖が切れることを抑制することができる。また、コストを抑制することができる。
【発明の効果】
【００２０】
実施形態の一態様によれば、玉鎖の劣化を抑制し、玉鎖が切れることを抑制することができる。
【図面の簡単な説明】
【００２１】
【図１】図１は、水洗大便器の概略側面（一部断面）図である。
【図２】図２は、洗浄水タンク装置の概略断面図である。
【図３】図３は、回転軸部の一部を示す斜視図である。
【図４】図４は、回転軸部の左側面図である。
【図５】図５は、図２のV−V断面における回転軸部の断面図である。
【図６】図６は、操作レバーが大洗浄方向に回転した場合の排水弁装置の動作状態を示す図である。
【図７】図７は、操作レバーが小洗浄方向に回転した場合の排水弁装置の動作状態を示す図である。
【図８】図８は、比較例の回転軸部の断面図である。
【図９】図９は、比較例の回転軸部が大洗浄方向に回転した図である。
【図１０】図１０は、比較例の回転軸部が小洗浄方向に回転した図である。
【図１１】図１１は、本実施形態の回転軸部が大洗浄方向に回転した図である。
【図１２】図１２は、本実施形態の回転軸部が小洗浄方向に回転した図である。
【図１３】図１３は、第２実施形態に係る回転軸部の断面図である。
【図１４】図１４は、第２実施形態に係る回転軸部が大洗浄方向に回転した図である。
【図１５】図１５は、第２実施形態に係る回転軸部が小洗浄方向に回転した図である。
【発明を実施するための形態】
【００２２】
以下、添付図面を参照して、本願の開示する洗浄操作装置の実施形態を詳細に説明する。なお、以下に示す実施形態によりこの発明が限定されるものではない。
【００２３】
（第１実施形態）
＜１．水洗大便器＞
まず、第１実施形態に係る洗浄操作装置１６を有する水洗大便器１について図１を参照し説明する。図１は、水洗大便器１の概略側面（一部断面）図である。また、図１においては、説明の便宜上、鉛直上向きを正方向とするＺ軸を含む３次元の直交座標系を図示している。なお、直交座標系は、他の図においても図示している場合がある。
【００２４】
直交座標系は、Ｘ軸の正方向視を「右側面」、Ｘ軸の負方向視を「左側面」と規定し、Ｘ軸の正方向を右側、およびＸ軸の負方向を左側と規定している。また、直交座標系は、Ｙ軸の正方向視を「正面」と規定し、Ｙ軸の正方向を前側（前方）、およびＹ軸の負方向を後側（後方）と規定している。また、直交座標系は、Ｚ軸の正方向を上側（上方）、およびＺ軸の負方向を下側（下方）と規定している。このため、以下の説明では、Ｘ軸方向を左右方向（水平方向ともいう）、Ｙ軸方向を前後方向、Ｚ軸方向を上下方向（鉛直方向ともいう）という場合がある。
【００２５】
図１に示すように、水洗大便器１は、便器本体（以下、便器という）２と、ボウル部３と、導水路４と、トラップ管路５とを備える。便器２のボウル部３の上縁部には、ボウル部３の中心側となる内側にオーバーハングしているリム６と、導水路４から供給される洗浄水を吐出する第１吐水口７とが設けられる。第１吐水口７から吐出された洗浄水は、ボウル部３内を旋回しながら、ボウル部３を洗浄する。
【００２６】
ボウル部３の下方には、溜水部８が設けられる。なお、図１には、一点鎖線で溜水を示している。溜水部８の下方には、トラップ管路５の入口５ａが開口され、入口５ａから上昇路５ｂが後方へ延びて設けられる。上昇路５ｂには、下降路５ｃが連続している。下降路５ｃの下端部は、排水ソケット（図示せず）を介して床下の排水管（図示せず）に接続される。
【００２７】
また、ボウル部３の上方には、導水路４から供給される洗浄水を吐出する第２吐水口９が設けられる。第２吐水口９から吐出された洗浄水は、溜水部８の溜水を上下方向に旋回させる。これにより、いわゆる旋回流が生じる。
【００２８】
便器２の導水路４の上方には、便器２に供給する洗浄水を貯留する洗浄水タンク装置１０が設けられる。洗浄水タンク装置１０の貯水タンク１２（図２参照）の底面には、便器２の導水路４と連通する排水口１２ａが設けられる。貯水タンク１２内の洗浄水は、排水口１２ａから導水路４へ排出される。
【００２９】
なお、本実施形態では、水洗大便器１として、ボウル部３内の水の落差による流水作用で汚物などを押し流す、いわゆる洗い落し式を例に説明しているが、これに限定されず、水洗大便器１としては、たとえば、サイホン作用を利用してボウル部３内の汚物などを吸い込んでトラップ管路５から一気に排出する、いわゆるサイホン式であってもよい。
【００３０】
＜２．洗浄水タンク装置＞
次に、洗浄水タンク装置１０について図２を参照し説明する。図２は、洗浄水タンク装置１０の概略断面図である。なお、図２には、洗浄水タンク装置１０の正面を示している。
【００３１】
洗浄水タンク装置１０は、外装タンク１１と、貯水タンク１２と、蓋体１３とを備える。貯水タンク１２は、外装タンク１１内に設けられ、洗浄水が貯留される。貯水タンク１２は、タンクを構成する。
【００３２】
蓋体１３は、外装タンク１１の上部に取り付けられ、外装タンク１１とともに洗浄水タンク装置１０の外観を形成する。なお、外装タンク１１および蓋体１３は、たとえば、陶器製である。また、貯水タンク１２の底面には、便器２の導水路４（図１参照）に連通する排水口１２ａが設けられる。
【００３３】
また、洗浄水タンク装置１０は、給水装置１４と、排水弁装置１５と、洗浄操作装置１６とを備える。
【００３４】
＜３．給水装置＞
給水装置１４は、水道管などの外部の給水源（図示せず）から供給される洗浄水を貯水タンク１２内へと給水する。給水装置１４は、排水弁装置１５による排水開始の所定時間後、給水を開始する。給水装置１４は、貯水タンク１２の満水時の水位ＷＬ０を、図２に示す位置で一定となるように給水する。
【００３５】
給水装置１４は、給水管１７と、フロート１８と、吐水管１９と、給水バルブ２１とを備える。
【００３６】
給水管１７は、上記した給水源に接続される。フロート１８は、給水装置１４に用いるフロートである。吐水管１９は、給水管１７と連通して貯水タンク１２に洗浄水を吐出する。給水バルブ２１は、フロート１８にレバー２０を介して連結される。また、給水装置１４は、蓋体１３の上面に設けられた手洗いカラン２３に給水する手洗い給水管２２をさらに備える。
【００３７】
手洗いカラン２３は、たとえば、便器２（図１参照）への洗浄水の供給開始時に、蓋体１３の上面に設けられた手洗い鉢１３ａに手洗い用の水を吐出する。また、手洗いカラン２３から吐出された水は、手洗い鉢１３ａに設けられた吐水口（または、流入口ともいう）１３ｂにより貯水タンク１２に流入する。
【００３８】
＜４．排水弁装置＞
排水弁装置１５は、排水口１２ａを開閉する。排水弁装置１５は、オーバーフロー管３０と、弁部３１ａ、３１ｂと、アーム３２ａ、３２ｂと、フロート３３ａ、３３ｂとを備える。なお、排水弁装置１５は、この構成に限られることはない。
【００３９】
オーバーフロー管３０は、排水口１２ａに連通し、貯水タンク１２の内部において上向きに延びて形成される。
【００４０】
弁部３１ａは、後述する洗浄操作装置１６による大洗浄の操作がされた場合に引き上げられ、貯水タンク１２内の洗浄水を排水口１２ａから排水する。弁部３１ｂは洗浄操作装置１６による小洗浄の操作がされた場合に引き上げられ、貯水タンク１２内の洗浄水を排水口１２ａから排水する。弁部３１ａ、３１ｂは、排水弁を構成する。
【００４１】
アーム３２ａは、弁部３１ａをオーバーフロー管３０の外周面から突出した軸部３４に回転可能に支持する。アーム３２ｂは、弁部３１ｂを軸部３４に回転可能に支持する。
【００４２】
フロート３３ａは、大洗浄用のフロートである。フロート３３ｂは、小洗浄用のフロートである。フロート３３ａは、フロート３３ｂよりも下方に設けられる。
【００４３】
＜５．洗浄操作装置＞
洗浄操作装置１６は、排水弁装置１５を操作する。洗浄操作装置１６は、操作レバー４０と、モータ４１と、操作ボタン４２と、回転軸部４３と、玉鎖４４とを備える。
【００４４】
操作レバー４０は、外装タンク１１の側面、具体的には、右側面に回転可能に設けられる。操作レバー４０は、操作されていない状態では、操作レバー４０の先端が下方となる通常状態に保持されている。操作レバー４０は、通常状態から一方（例えば、図２中の手前側（前方））、および他方（例えば、図２中奥側（後方））に回転可能である。
【００４５】
操作レバー４０が通常状態から一方向に所定角度（例えば、９０度）回転されると、水洗大便器１では大洗浄が開始される。また、操作レバー４０が通常状態から他方向に所定角度（例えば、９０度）回転されると、水洗大便器１では小洗浄が開始される。このように、操作レバー４０は、排水弁装置１５を作動させる手動式のレバーである。
【００４６】
以下では、操作レバー４０が通常状態から一方向に回転する方向を「大洗浄方向」とし、通常状態から他方向に回転する方向を「小洗浄方向」とする。
【００４７】
モータ４１は、操作ボタン４２のうち大洗浄用のボタン（図示せず）が押されると、操作レバー４０を、大洗浄方向へ回転させる。モータ４１は、操作ボタン４２のうち小洗浄用のボタン（図示せず）が押されると、操作レバー４０を、小洗浄方向へ回転させる。すなわち、モータ４１は、使用者のボタン操作に応じて大洗浄あるいは小洗浄が開始されるように、排水弁装置１５を作動させる。
【００４８】
なお、大洗浄および小洗浄については、操作レバー４０による手動操作としてもよいし、操作ボタン４２による操作としてもよい。また、水洗大便器１は、エコ小洗浄を実施可能であってもよい。エコ小洗浄は、モータ４１によって、すなわち、使用者が操作ボタン４２を押すことによって排水弁装置１５が作動される。
【００４９】
次に、回転軸部４３について図２〜図５を参照し説明する。図３は、回転軸部４３の一部を示す斜視図である。図４は、回転軸部４３の左側面図である。図５は、図２のV−V断面における回転軸部４３の断面図である。なお、図２〜図５では、操作レバー４０が操作されていない通常状態における回転軸部４３を示している。
【００５０】
回転軸部４３は、回転伝達部５０と、アーム５１と、保持部５２とを備える。回転軸部４３は、貯水タンク１２内に延出する。
【００５１】
回転伝達部５０は、ワイヤ部材やユニバーサルジョイントなどによって構成される。回転伝達部５０の一端は、操作レバー４０およびモータ４１に連結され、回転伝達部５０の他端は、回転支持部５３に挿入され、回転板５４に連結される。回転板５４は、円筒状の回転支持部５３に回転可能に支持される。回転支持部５３は、貯水タンク１２に取り付けられる。
【００５２】
アーム５１は、Ｌ字状に形成される。アーム５１の一端は、回転板５４に連結され、アーム５１の他端は、保持部５２に連結される。アーム５１は、通常状態では、アーム５１の他端が下方を向いている。
【００５３】
保持部５２は、取付部５５と、引き上げ支持部５６と、規制部５７とを備える。
【００５４】
取付部５５は、引き上げ支持部５６よりも回転軸部４３の回転軸側に設けられる。取付部５５は、アーム５１の他端から前方に延びる第１肩部５５ａと、アーム５１の他端から後方に延びる第２肩部５５ｂとを備える。
【００５５】
第１肩部５５ａの先端側は、下方に向けて湾曲する。第１肩部５５ａには、前方から後方に向けてスリット５５ｃが形成される。スリット５５ｃには、大洗浄用玉鎖４４ａの紐部４５が挿入される。例えば、大洗浄用玉鎖４４ａの紐部４５は、スリット５５ｃに圧入される。
【００５６】
第２肩部５５ｂの先端側は、下方に向けて湾曲する。第２肩部５５ｂには、後方から前方に向けてスリット５５ｄが形成される。スリット５５ｄには、小洗浄用玉鎖４４ｂの紐部４５が挿入される。例えば、小洗浄用玉鎖４４ｂの紐部４５は、スリット５５ｄに圧入される。
【００５７】
引き上げ支持部５６は、第１肩部５５ａの基端および第２肩部５５ｂの基端から下方に向けて形成され、大洗浄用玉鎖４４ａと小洗浄用玉鎖４４ｂとを隔離する。引き上げ支持部５６は、大洗浄用玉鎖４４ａ側、すなわち前方側に形成される第１支持面５６ａと、小洗浄用玉鎖４４ｂ側、すなわち後方側に形成される第２支持面５６ｂとを有する。第１支持面５６ａおよび第２支持面５６ｂは、基端部５６ｃから下方に向けて形成される。引き上げ支持部５６は、支持部を構成する。
【００５８】
なお、基端部５６ｃは、引き上げ支持部５６の基端であってもよく、第１支持面５６ａ、および第２支持面５６ｂは、引き上げ支持部５６の基端から下方に向けて形成されてもよい。
【００５９】
第１支持面５６ａは、大洗浄用玉鎖４４ａに沿って形成される。第１支持面５６ａは、基端部５６ｃから前方に向けて膨らむ湾曲状に形成される。以下では、第１支持面５６ａを「第１湾曲面５６ａ」と称する場合がある。第１湾曲面５６ａは、大洗浄用玉鎖４４ａを引き上げた状態では、先端側で少なくとも大洗浄用玉鎖４４ａの２つ以上のボール４６と接触するように形成される。
【００６０】
第２支持面５６ｂは、小洗浄用玉鎖４４ｂに沿って形成される。第２支持面５６ｂは、基端部５６ｃから後方に向けて膨らむ湾曲状に形成される。以下では、第２支持面５６ｂを「第２湾曲面５６ｂ」と称する場合がある。第２湾曲面５６ｂは、小洗浄用玉鎖４４ｂを引き上げた状態では、先端側で少なくとも小洗浄用玉鎖４４ｂの２つ以上のボール４６と接触するように形成される。
【００６１】
規制部５７は、引き上げ支持部５６の左右方向の両端から前方に向けて延びる第１規制部５７ａと、引き上げ支持部５６の左右方向の両端から後方に向けて延びる第２規制部５７ｂとを備える。
【００６２】
第１規制部５７ａは、左右方向に一対形成され、大洗浄用玉鎖４４ａの左右方向の移動を規制する。第１規制部５７ａは、大洗浄用玉鎖４４ａが引き上げられる場合に、大洗浄用玉鎖４４ａが第１支持面５６ａから落下することを抑制する。
【００６３】
第２規制部５７ｂは、左右方向に一対形成され、小洗浄用玉鎖４４ｂの左右方向の移動を規制する。第２規制部５７ｂは、小洗浄用玉鎖４４ｂが引き上げられる場合に、小洗浄用玉鎖４４ｂが第２支持面５６ｂから落下することを抑制する。
【００６４】
玉鎖４４は、大洗浄用玉鎖４４ａと、小洗浄用玉鎖４４ｂとの２本設けられる。玉鎖４４ａ、４４ｂは、複数の糸を束ねた紐部４５で複数のボール４６を連結して形成される。紐部４５、およびボール４６は、樹脂製である。玉鎖４４ａ、４４ｂは、紐部４５に、複数のボール４６を一定間隔で配置して形成される。玉鎖４４ａ、４４ｂは、射出成形によって、紐部４５にボール４６を固着させて形成される。ボール４６は、例えば、ポリエステル、ポリカーボネイトなどの樹脂材料が用いられる。
【００６５】
ボール４６は、球状に形成される。なお、ボール４６は、球状に限られることはなく、四角形状などの多角形状であってもよい。すなわち、ボール４６は、多角形状のボールを含む。
【００６６】
大洗浄用玉鎖４４ａは、一端が第１肩部５５ａに取り付けられ、他端が弁部３１ａに取り付けられる。大洗浄用玉鎖４４ａは、操作レバー４０が通常状態から大洗浄方向に回転した場合に、引き上げ支持部５６によって引き上げられる。
【００６７】
小洗浄用玉鎖４４ｂは、一端が第２肩部５５ｂに取り付けられ、他端が弁部３１ｂに取り付けられる。小洗浄用玉鎖４４ｂは、操作レバー４０が通常状態から小洗浄方向に回転した場合に引き上げ支持部５６によって引き上げられる。
【００６８】
＜６．排水弁装置の動作＞
次に、排水弁装置１５の動作について図６および図７を参照し説明する。図６は、操作レバー４０が大洗浄方向に回転した場合の排水弁装置１５の動作状態を示す図である。図７は、操作レバー４０が小洗浄方向に回転した場合の排水弁装置１５の動作状態を示す図である。
【００６９】
排水弁装置１５では、大洗浄用玉鎖４４ａが引き上げられることで、図６に示すように、弁部３１ａが引き上げられ、弁部３１ａが排水口１２ａから離間し、弁部３１ａが開状態となる。これにより、貯水タンク１２（図２参照）内の洗浄水が排水口１２ａから便器２（図１参照）に向けて排水される。なお、この場合、小洗浄用玉鎖４４ｂは、引き上げられないため、弁部３１ｂは、弁部３１ａの上部に設けられた開口部３５を塞いだ状態で、弁部３１ｂとともに引き上げられる。すなわち、弁部３１ｂは、閉状態のまま、弁部３１ａとともに引き上げられる。
【００７０】
排水により貯水タンク１２内の水位が低下すると、フロート３３ａ、３３ｂが水位の低下に伴って下方に移動する。これにより、弁部３１ａが排水口１２ａを塞ぎ、弁部３１ａが閉状態となる。
【００７１】
また、排水弁装置１５では、小洗浄用玉鎖４４ｂが引き上げられることで、図７に示すように、弁部３１ｂが引き上げられ、弁部３１ｂが開口部３５から離間し、弁部３１ｂが開状態となる。なお、大洗浄用玉鎖４４ａは、引き上げられないため、弁部３１ａは、排水口１２ａを塞いだ閉状態である。
【００７２】
排水により貯水タンク１２内の水位が低下すると、フロート３３ｂが水位の低下に伴って下方に移動する。これにより、弁部３１ｂが開口部３５を塞ぎ、弁部３１ｂが閉状態となる。
【００７３】
小洗浄時には、フロート３３ｂのみの浮力により弁部３１ｂが開状態に維持される。また、フロート３３ｂの位置は、フロート３３ａの位置によりも上方である。そのため、小洗浄時に開状態となる弁部３１ｂは、大洗浄時に開状態となる弁部３１ａよりも早い段階で閉状態となる。従って、小洗浄時の排水水量は、大洗浄時の排水水量よりも少ない。
【００７４】
＜７．回転軸部の動作＞
次に、回転軸部４３の動作について説明する。まず、本実施形態に対する比較例の回転軸部１００の動作について図８〜図１０を参照し説明する。図８は、比較例の回転軸部１００の断面図である。なお、図８は、図５と同様に、図２のV−V断面で切断した比較例の回転軸部１００の断面図である。図９は、比較例の回転軸部１００が大洗浄方向に回転した図である。図１０は、比較例の回転軸部１００が小洗浄方向に回転した図である。
【００７５】
比較例の回転軸部１００は、引き上げ支持部１０１が板状に形成される。すなわち、比較例の引き上げ支持部１０１は、本実施形態の湾曲面５６ａ、５６ｂを有さない板状に形成される。
【００７６】
操作レバー４０（図２参照）が通常状態から大洗浄方向に回転した場合には、引き上げ支持部１０１は、操作レバー４０の回転に応じて大洗浄方向に回転し、図９に示すように、大洗浄用玉鎖４４ａを下方から支持し、大洗浄用玉鎖４４ａを引き上げる。
【００７７】
引き上げ支持部１０１は、板状に形成されているため、回転軸部１００が、例えば、大洗浄方向に９０度回転すると、大洗浄用玉鎖４４ａの曲げ部４４ａ１の曲げ角度は、略９０度となる。なお、曲げ角度は、引き上げ支持部に支持される玉鎖と、引き上げ支持部の先端から弁部に延びる玉鎖との間の角度である。
【００７８】
また、操作レバー４０が通常状態から小洗浄方向に回転した場合には、引き上げ支持部５６は、操作レバー４０の回転に応じて小洗浄方向に回転し、図１０に示すように、小洗浄用玉鎖４４ｂを下方から支持し、小洗浄用玉鎖４４ｂを引き上げる。
【００７９】
回転軸部１００が、例えば、小洗浄方向に９０度回転すると、小洗浄用玉鎖４４ｂの曲げ部４４ｂ１の曲げ角度は、略９０度となる。
【００８０】
曲げ部４４ａ１、４４ｂ１の曲げ角度が小さくなると、曲げ部４４ａ１、４４ｂ１における曲げ応力が大きくなる。そのため、操作レバー４０の操作回数が多くなると、玉鎖４４、特に玉鎖４４の紐部４５が劣化し、玉鎖４４が切れるおそれがある。従って、曲げ部４４ａ１、４４ｂ１の曲げ角度は、大きい方が望ましい。
【００８１】
次に、本実施形態に係る回転軸部４３の動作について図１１、および図１２を参照し説明する。図１１は、本実施形態の回転軸部４３が大洗浄方向に回転した図である。図１２は、本実施形態の回転軸部４３が小洗浄方向に回転した図である。
【００８２】
操作レバー４０（図２参照）が通常状態から大洗浄方向に回転した場合には、引き上げ支持部５６は、図１１に示すように、操作レバー４０の回転に応じて大洗浄方向に回転し、大洗浄用玉鎖４４ａを下方から支持し、大洗浄用玉鎖４４ａを引き上げる。
【００８３】
この場合、引き上げ支持部５６は、第１湾曲面５６ａが大洗浄用玉鎖４４ａの少なくとも２つ以上のボール４６と接触した状態で、大洗浄用玉鎖４４ａを引き上げる。具体的には、引き上げ支持部５６は、第１湾曲面５６ａの先端側で、大洗浄用玉鎖４４ａの少なくとも２つ以上のボール４６と接触した状態で、大洗浄用玉鎖４４ａを引き上げる。
【００８４】
そのため、回転軸部４３が、例えば、大洗浄方向に９０度回転した場合に、大洗浄用玉鎖４４ａの曲げ部４４ａ１の曲げ角度は、比較例の回転軸部１００の曲げ部４４ａ１の曲げ角度（略９０度）よりも大きくなる。従って、本実施形態に係る回転軸部４３は、大洗浄用玉鎖４４ａの曲げ部４４ａ１の曲げ角度を大きくすることができ、曲げ応力を小さくすることができる。
【００８５】
なお、この場合、小洗浄用玉鎖４４ｂは、引き上げ支持部５６によって引き上げられない。小洗浄用玉鎖４４ｂは、第２肩部５５ｂによって支持されており、小洗浄用玉鎖４４ｂがスリット５５ｄから外れることが抑制される。
【００８６】
また、操作レバー４０が通常状態から小洗浄方向に回転した場合には、引き上げ支持部５６は、図１２に示すように、操作レバー４０の回転に応じて小洗浄方向に回転し、小洗浄用玉鎖４４ｂを下方から支持し、小洗浄用玉鎖４４ｂを引き上げる。
【００８７】
この場合、引き上げ支持部５６は、第２湾曲面５６ｂが小洗浄用玉鎖４４ｂの少なくとも２つ以上のボール４６と接触した状態で、小洗浄用玉鎖４４ｂを引き上げる。具体的には、引き上げ支持部５６は、第２湾曲面５６ｂの先端側で、小洗浄用玉鎖４４ｂの少なくとも２つ以上のボール４６と接触した状態で、小洗浄用玉鎖４４ｂを引き上げる。
【００８８】
そのため、回転軸部４３が、例えば、小洗浄方向に９０度回転した場合に、小洗浄用玉鎖４４ｂの曲げ部４４ｂ１の曲げ角度は、大洗浄方向への回転時と同様に、比較例の回転軸部１００における曲げ部４４ｂ１の曲げ角度（略９０度）よりも大きくなる。従って、本実施形態に係る回転軸部４３は、小洗浄用玉鎖４４ｂの曲げ部４４ｂ１の曲げ角度を大きくすることができ、曲げ応力を小さくすることができる。
【００８９】
なお、この場合、大洗浄用玉鎖４４ａは、引き上げ支持部５６によって引き上げられない。大洗浄用玉鎖４４ａは、第１肩部５５ａによって支持されるため、大洗浄用玉鎖４４ａがスリット５５ｃから外れることが抑制される。
【００９０】
＜８．効果＞
洗浄操作装置１６は、大洗浄用玉鎖４４ａを引き上げた状態で、大洗浄用玉鎖４４ａの少なくとも２つ以上のボール４６と接触する第１湾曲面５６ａを引き上げ支持部５６の先端側に有する。また、洗浄操作装置１６は、小洗浄用玉鎖４４ｂを引き上げた状態で、小洗浄用玉鎖４４ｂの少なくとも２つ以上のボール４６と接触する第２湾曲面５６ｂを引き上げ支持部５６の先端側に有する。
【００９１】
これにより、引き上げ支持部５６によって、大洗浄用玉鎖４４ａ、または小洗浄用玉鎖４４ｂを引き上げた場合に、玉鎖４４ａ、４４ｂの曲げ部４４ａ１、４４ｂ１の曲げ角度を大きくし、曲げ部４４ａ１、４４ｂ１の曲げ応力を小さくすることができる。そのため、玉鎖４４ａ、４４ｂが劣化することを抑制し、玉鎖４４ａ、４４ｂが切れることを抑制することができる。
【００９２】
第１湾曲面５６ａは、引き上げ支持部５６の基端部５６ｃから大洗浄用玉鎖４４ａに沿って形成される。また、第２湾曲面５６ｂは、引き上げ支持部５６の基端部５６ｃから小洗浄用玉鎖４４ｂに沿って形成される。
【００９３】
これにより、大洗浄用玉鎖４４ａ、または小洗浄用玉鎖４４ｂが、引き上げ支持部５６によって引き上げられた場合に、玉鎖４４ａ、４４ｂの曲げ部４４ａ１、４４ｂ１の曲げ角度を大きくすることができ、曲げ部４４ａ１、４４ｂ１の曲げ応力を小さくすることができる。そのため、玉鎖４４ａ、４４ｂが劣化することを抑制し、玉鎖４４ａ、４４ｂが切れることを抑制することができる。
【００９４】
大洗浄用玉鎖４４ａ、および小洗浄用玉鎖４４ｂは、複数の糸を束ねた紐部４５で複数のボール４６を連結して形成される。
【００９５】
これにより、玉鎖４４ａ、４４ｂは、紐部４５に柔軟性を持たせることができ、玉鎖４４ａ、４４ｂが切れることを抑制することができる。
【００９６】
大洗浄用玉鎖４４ａ、および小洗浄用玉鎖４４ｂは、樹脂製の紐部４５により形成される。
【００９７】
これにより、玉鎖４４ａ、４４ｂは、例えば、金属部材の紐部が用いられた玉鎖よりも、腐食を抑制することができ、玉鎖４４ａ、４４ｂが切れることを抑制することができる。また、コストを抑制することができる。
【００９８】
（第２実施形態）
次に、第２実施形態に係る洗浄操作装置１６を有する水洗大便器１について説明する。第１実施形態と異なる構成を中心に説明し、第１実施形態と同様の構成についての説明は省略する。第２実施形態に係る水洗大便器１は、洗浄操作装置１６の回転軸部４３が第１実施形態とは異なっている。そのため、ここでは、回転軸部４３について説明する。
【００９９】
＜９．洗浄操作装置＞
第２実施形態に係る回転軸部４３について図１３〜図１５を参照し説明する。図１３は、第２実施形態に係る回転軸部４３の断面図である。なお、図１３は、第２実施形態に係る回転軸部４３を、第１実施形態の図２のV-V断面で切断した断面図である。図１４は、第２実施形態に係る回転軸部４３が大洗浄方向に回転した図である。図１５は、第２実施形態に係る回転軸部４３が小洗浄方向に回転した図である。
【０１００】
回転軸部４３の取付部５５は、第１肩部５５ａの先端側（前方側）に第３湾曲面５５ｅを有する。第３湾曲面５５ｅは、先端となるにつれて上方に向けて湾曲する。例えば、第１肩部５５ａは、Ｓ字状に形成される。
【０１０１】
また、回転軸部４３の取付部５５は、第２肩部５５ｂの先端側（後方側）に第４湾曲面５５ｆを有する。第４湾曲面５５ｆは、先端となるにつれて上方に向けて湾曲する。例えば、第２肩部５５ｂは、Ｓ字状に形成される。
【０１０２】
回転軸部４３が大洗浄方向に回転した場合には、小洗浄用玉鎖４４ｂは、図１４に示すように、第４湾曲面５５ｆに接触する。第４湾曲面５５ｆは、小洗浄用玉鎖４４ｂの少なくとも２つ以上のボール４６と接触する。なお、この場合であっても、小洗浄用玉鎖４４ｂは、引き上げ支持部５６によって引き上げられず、小洗浄用玉鎖４４ｂが取り付けられる弁部３１ｂ（図２参照）は、閉状態のままである。
【０１０３】
また、回転軸部４３が小洗浄方向に回転した場合には、大洗浄用玉鎖４４ａは、図１５に示すように、第３湾曲面５５ｅに接触する。第３湾曲面５５ｅは、大洗浄用玉鎖４４ａの少なくとも２つ以上のボール４６と接触する。なお、この場合であっても、大洗浄用玉鎖４４ａは、引き上げ支持部５６によって引き上げられず、大洗浄用玉鎖４４ａが取り付けられる弁部３１ａ（図２参照）は、閉状態のままである。
【０１０４】
＜１０．効果＞
取付部５５は、回転軸部４３が小洗浄方向に回転した場合に、引き上げ支持部５６によって引き上げられない大洗浄用玉鎖４４ａの２つ以上のボール４６に接触する第３湾曲面５５ｅを有する。また、取付部５５は、回転軸部４３が大洗浄方向に回転した場合に、引き上げ支持部５６によって引き上げられない小洗浄用玉鎖４４ｂの２つ以上のボール４６に接触する第４湾曲面５５ｆを有する。
【０１０５】
これにより、引き上げ支持部５６によって引き上げられない玉鎖４４ａ、４４ｂの曲げ角度を大きくし、曲げ応力を小さくすることができる。
【０１０６】
（変形例）
なお、第１湾曲面５６ａ、および第２湾曲面５６ｂは、例えば、引き上げ支持部５６の先端にのみ形成されてもよい。また、第１湾曲面５６ａ、および第２湾曲面５６ｂが形成される範囲や、第１湾曲面５６ａ、および第２湾曲面５６ｂの形状を、弁部３１ａ、３１ｂと回転軸部４３との位置に応じて調整してもよい。これにより、玉鎖４４ａ、４４ｂが切れることを抑制しつつ、回転軸部４３の回転量に対する弁部３１ａ、３１ｂのリフト量、すなわち洗浄水の排水量を調整することができる。
【０１０７】
また、洗浄操作装置１６は、玉鎖４４ａ、４４ｂを引き上げる場合に、玉鎖４４ａ、４４ｂによる荷重によって引き上げ支持部５６の先端側が曲がるように構成してもよい。例えば、引き上げ支持部５６の先端側を可撓性の部材で構成してもよい。なお、引き上げ支持部５６の全体を可撓性の部材で構成してもよい。これによっても、上記実施形態と同様の効果を得ることができる。
【０１０８】
さらなる効果や変形例は、当業者によって容易に導き出すことができる。このため、本発明のより広範な態様は、以上のように表しかつ記述した特定の詳細および代表的な実施形態に限定されるものではない。したがって、添付の特許請求の範囲およびその均等物によって定義される総括的な発明の概念の精神または範囲から逸脱することなく、様々な変更が可能である。
【符号の説明】
【０１０９】
１      水洗大便器
１０    洗浄水タンク装置
１２    貯水タンク（タンク）
１５    排水弁装置
１６    洗浄操作装置
３１ａ  弁部（排水弁）
３１ｂ  弁部（排水弁）
４３    回転軸部
４４    玉鎖
４４ａ  大洗浄用玉鎖
４４ｂ  小洗浄用玉鎖
４５    紐部
４６    ボール
５５    取付部
５５ｅ  第３湾曲面
５５ｆ  第４湾曲面
５６    引き上げ支持部（支持部）
５６ａ  第１支持面（第１湾曲面）
５６ｂ  第２支持面（第２湾曲面）
５６ｃ  基端部
【図１】
2019157601.tif 000003
【図２】
2019157601.tif 000004
【図３】
2019157601.tif 000005
【図４】
2019157601.tif 000006
【図５】
2019157601.tif 000007
【図６】
2019157601.tif 000008
【図７】
2019157601.tif 000009
【図８】
2019157601.tif 000010
【図９】
2019157601.tif 000011
【図１０】
2019157601.tif 000012
【図１１】
2019157601.tif 000013
【図１２】
2019157601.tif 000014
【図１３】
2019157601.tif 000015
【図１４】
2019157601.tif 000016
【図１５】
2019157601.tif 000017